(57)【要約】【課題】排水トラフの全体を均整のとれた良好な景観に保つことができるとともに、雨水枡内に対する清掃やバスケットの脱着などの保守管理作業を随時容易に行なうことができる雨水排水装置を提供する。【解決手段】上部に開口５を有する雨水枡１及びこの雨水枡１に通じる排水管７が地中に埋設され、地表には一方向に長い排水トラフが敷設され、雨水枡１の上方部には排水トラフ内に流入する雨水を雨水枡１内に導入する雨水導入体１０が設けられ、この雨水導入体１０には雨水枡１の上方部に位置して地表に露出する蓋装置３が設けられている。蓋装置３は雨水枡１の上部の開口に対向するとともに、その開口より大きな面積の開口部１９を有する受枠１８と、この受枠１８の内側に脱着可能に装填された蓋体２３とで構成されている。【選択図】    図３
2009019431.tif 000002
【特許請求の範囲】
【請求項１】
上部に開口を有する雨水枡及びこの雨水枡に通じる排水管が地中に埋設され、地表には一方向に長い排水トラフが敷設され、前記雨水枡の上方部には前記排水トラフ内に流入する雨水を前記雨水枡内に導入する雨水導入体が設けられ、この雨水導入体には前記雨水枡の上方部に位置して地表に露出する蓋装置が設けられ、この蓋装置は雨水枡の上部の開口に対向するとともに、その開口より大きな面積の開口部を有する受枠と、この受枠の内側に脱着可能に装填された蓋体とを備えてなることを特徴とする雨水排水装置。
【請求項２】
前記雨水枡内には脱着可能に異物捕捉用のバスケットが収納され、前記蓋体を前記受枠から取り外すことにより前記受枠の開口部を通して前記バスケットを抜き取ることが可能であることを特徴とする請求項１に記載の雨水排水装置。
【請求項３】
前記排水トラフの幅は、前記雨水枡の上部の開口の幅より小さい寸法に設定されていることを特徴とする請求項１又は２に記載の雨水排水装置。
【発明の詳細な説明】
【技術分野】
【０００１】
この発明は、家屋の周辺の敷地や道路沿いの敷地などに施工される雨水排水装置に関する。
【背景技術】
【０００２】
近年、地中に塩化ビニル製の排水管を埋設し、その排水管の所定間隔ごとに雨水枡を設け、その各雨水枡の上端部の開口部を地表に露出させ、その各開口部に通水が可能な蓋体を装着し、降雨時の雨水を前記蓋体を通して前記雨水枡内に流入させ、さらにその雨水を雨水枡から前記排水管を通して既設の排水本管に流入させる雨水排水装置が提供されるようになってきている。このような雨水排水装置については例えば特開２００１−６５０４５公報に開示されている。
【０００３】
しかしながら、このような雨水排水装置においては、各雨水枡の上端の蓋体が地表に点在するように露出し、降雨時にその点在する雨水枡の蓋体から雨水が流入するだけであり、このため少雨時には問題がないが、多雨時にはその雨量に対応しきれず、地表に雨水が滞留してしまうことがある。
【０００４】
そこで、本出願人は、雨水枡及びこの雨水枡に通じる排水管を地中に埋設する一方、地表には一方向に長く、かつ前記雨水枡の上部に接続してその雨水枡内に通じる排水トラフを敷設し、前記排水トラフから前記雨水枡内に雨水を流入させ、この雨水を前記排水管を通して排出させようにした雨水排水装置を開発した。なお、本件でいう地表とは、土地の表面をはじめとして、コンクリート、モルタル、アスファルトなどで舗装された舗装面、あるいは多数のブロック材やタイル材を敷き詰めて舗装された舗装面などを含む。
【０００５】
この雨水排出装置によれば、地表に敷設した一方向に長い排水トラフにより排水能力を高め、多雨時であっても地表の雨水を的確かつ円滑に地中の雨水枡に導いて効率よく排出することができる。
【発明の開示】
【発明が解決しようとする課題】
【０００６】
ところで、地中に埋設された雨水枡内にはバスケットが脱着自在に収納され、このバスケットで雨水中の枯葉や小枝などの異物が捕捉される。そして、バスケット内に異物が溜まったときには、雨水枡内に手を差し込んでバスケットを取り出し、内部の異物を廃棄し、また雨水枡内を手作業で清掃し、再び雨水枡内にバスケットを収納する保守管理が行なわれる。
【０００７】
この場合、雨水枡の上部には排水トラフが配置されており、雨水枡内のバスケットを取り出すときには、その排水トラフの底部の開口を通して行なうことになる。したがって排水トラフの幅は、少なくともバスケットの直径よりも大きな寸法としなければならない。
【０００８】
一方、地表に敷設される一方向に長い排水トラフとしては、その景観上、幅の狭いものが望まれる。しかしながら排水トラフの幅が狭すぎると、雨水枡内のバスケットを取り出すことができなくなる。雨水枡の上部と対向する排水トラフの一部分の幅のみをその雨水枡の直径の大きさに対応するように拡張すれば、排水トラフの底部の開口を通して雨水枡内のバスケットを取り出すことが可能となるが、この場合には、一方向に延びる排水トラフの部分個所の幅が拡張され、排水トラフの全体が異形状で均整が取れず、景観が損なわれてしまうことになる。
【０００９】
この発明はこのような点に着目してなされたもので、その目的とするところは、排水トラフの全体を均整のとれた良好な景観に保つことができるとともに、雨水枡内に対する清掃やバスケットの脱着などの保守管理作業を随時容易に行なうことができる雨水排水装置を提供することにある。
【課題を解決するための手段】
【００１０】
請求項１の発明は、上部に開口を有する雨水枡及びこの雨水枡に通じる排水管が地中に埋設され、地表には一方向に長い排水トラフが敷設され、前記雨水枡の上方部には前記排水トラフ内に流入する雨水を前記雨水枡内に導入する雨水導入体が設けられ、この雨水導入体には前記雨水枡の上方部に位置して地表に露出する蓋装置が設けられ、この蓋装置は雨水枡の上部の開口に対向するとともに、その開口より大きな面積の開口部を有する受枠と、この受枠の内側に脱着可能に装填された蓋体とを備えてなることを特徴としている。
【００１１】
請求項２の発明は、前記雨水枡内に脱着可能に異物捕捉用のバスケットが収納され、前記蓋体を前記受枠から取り外すことにより前記受枠の開口部を通して前記バスケットを抜き取ることが可能となっている。
【００１２】
請求項３の発明は、前記排水トラフの幅が、前記雨水枡の上部の開口の幅より小さい寸法に設定されていることを特徴としている。
【発明の効果】
【００１３】
この発明の雨水排水装置によれば、一方向に長い幅の狭い排水トラフを用いて均整のとれた良好な景観を保持することができるとともに、排水トラフに妨げられることなく雨水枡内に対する清掃やバスケットの脱着などの保守管理作業を随時容易に行なうことができる。
【発明を実施するための最良の形態】
【００１４】
以下、この発明の実施形態について図面を参照して説明する。
【００１５】
図１にはこの発明の一実施形態に係る雨水排水装置の全体の平面図を、図２にはその一部を拡大した平面図をそれぞれ示してある。この雨水排水装置は、例えば舗装ブロックａを敷き詰めてなる舗装面などの地表の地中に埋設された複数の雨水枡１と、これら雨水枡１に通じるように地表に敷設された一方向に長い排水トラフ２と、各雨水枡１に対向するように地表に設置された蓋装置３とを備えている。
【００１６】
雨水枡１は塩化ビニルなどの合成樹脂で形成され、図３及び図４に示すように地中に埋設されている。雨水枡１は上部に開口５を有する有底筒状をなし、両側面には通水口６が形成され、これら通水口６にそれぞれ塩化ビニル製の排水管７が接続され、これら排水管７を通して各雨水枡１が一連に繋がれ、最端側の排水管７の端部が排水本管などに接続されている。また、各雨水枡１の内部にはステンレスなどで形成された異物捕捉用のバスケット８が脱着自在に収納されている。このバスケット８にはその脱着用の取っ手９が取り付けられている。
【００１７】
各雨水枡１の上方部には雨水導入体１０が設けられている。この雨水導入体１０は、雨水枡１の上部の開口５に接続されたガイド管１１と、このガイド管１１の上部に基礎１２を介して設置された受け台１３とで構成されている。受け台１３は四角の枠形状をなし、アンカーボルト１５を介して基礎１２に固定されている。ガイド管１１の上端部は受け台１３の下部内側に突出し、このガイド管１１の上端縁と面一に受け台１３の下部内側にモルタル１６が打設されている。
【００１８】
受け台１３の上には、前記蓋装置３の一部を構成する受枠１８が設置されている。受け台１３及び受枠１８の斜視図を図５に示してある。受枠１８は周側壁の断面がＬ状で、底面に開口部１９を有する枠形状をなし、その上面が地表に露出するようにボルト２０を介して受け台１３に固定されている。この受枠１８の底面の開口部１９は雨水枡１の上部の開口５と対向し、かつその開口５より大きな面積を有する開口となっている。そしてこの受枠１８の内側に図３に示す蓋体２３が脱着可能に装填される。
【００１９】
この蓋体２３は、皿型状の蓋本体２４の内部に、地表の舗装面に敷き並べられた舗装ブロックａと同じ舗装ブロックａをその舗装面と同じピッチで敷き並べて充填したいわゆる充填式蓋構造となっている。そして、この蓋体２３は上面が地表の舗装面と面一に配置するように受枠１８内に収納される。蓋本体２４の外面にはスペーサ２５が設けられ、これらスペーサ２５により蓋体２３を受枠１８内に収納したときに、蓋本体２４の外面と受枠１８の内面との間に雨水の流通が可能な僅かな隙間が確保されるようになっている。
【００２０】
受け台１３の一端部には、前記蓋装置３の受枠１８と並ぶように雨水導入部２８が設けられ、この雨水導入部２８の両端部に前記排水トラフ２が接続される。排水トラフ２は、樋形状で底面がＶ字状のトラフ本体３０と、このトラフ本体３０の上面両側部に相対向して起立するように取り付けられた一対の側板３１とを有し、側板３１の内側にストッパー３２が設けられている。相対向した側板３１間の間隔幅は前記雨水枡１の外径寸法より小さく、例えば８０ｍｍ程度となっている。また、トラフ本体３０の端部及び側板３１の端部間には接続板３３，３４が取り付けられ、これら接続板３３，３４にそれぞれ透孔３３ａ，３４ａが形成されている。なお、トラフ本体３０、側板３１、接続板３３，３４は例えばそれぞれステンレス、スチール製あるいは鋳物製で形成されている。
【００２１】
受け台１３の一端側の両側面には、トラフ本体３０の断面形状に対応する切欠部３５が形成され、受け台１３の上面には前記切欠部３５に対応する位置において、受枠１８の一端側の側壁板１８ａと対向して起立板３６がボルト３７を介して取り付けられ、これら切欠部３５、受枠１８の側壁板１８ａ及び起立板３６により雨水導入部２８が構成され、側壁板１８ａと起立板３６との内側にストッパー３８が設けられている。
【００２２】
側壁板１８ａ及び起立板３６の高さは排水トラフ２の側板３１と同じ寸法で、側壁板１８ａと起立板３６との対向間隔は排水トラフ２の側板３１間の対向間隔と同じ寸法となっている。
【００２３】
側壁板１８ａ及び起立板３６の端部間には前記接続板３４に対応する接続板３９が取り付けられている。そして、前記切欠部３５にトラフ本体３０の端面が対向合致し、側板３１が側壁板１８ａ及び起立板３６に当接合致するように受け台１３の両側面に排水トラフ２の一端部が突き当てられ、この状態で排水トラフ２の端部の接続板３３の透孔３３ａから受け台１３の側面にボルト４０が螺挿され、また排水トラフ２の接続板３４の透孔３４ａから雨水導入部２８の接続板３９にボルト４１（図４に図示）が螺挿され、これらボルト４０，４１の締め付けにより排水トラフ２が雨水導入体１０に接続固定されている。
【００２４】
各排水トラフ２の側板３１間、及び雨水導入部２８の側壁板１８ａと起立板３６との間には、図３に示す雨水の透過が可能な例えばグレーチング構造の蓋体４２が装着される。これら蓋体４２は前記ストッパー３２，３８により同じ高さのレベルに支持される。
【００２５】
このような構成の雨水排水装置においては、降雨時の雨水が地表を伝わって排水トラフ２の全長区間の各部からその内部に流れ込む。そしてこの雨水が排水トラフ２を伝わり、雨水導入部１８を経て受け台１３の内側に流れ込み、さらにこの受け台１３内を流通し、ガイド管１１を通して雨水枡１内に流入する。雨水枡１内に流入した雨水は、排水管７を通って排水本管側に流通し排出される。
【００２６】
排水トラフ２は道路沿いなどの地表に連続するように敷設されており、このため地表に降った雨水は排水トラフ２の全長区間の部分においてその内部に順次流れ込み、したがって地表の雨水に対する排水能力が高く、多雨時などであっても地表に雨水が滞留するようなことがない。
【００２７】
雨水が雨水枡１内を流通する際には、その雨水中の小枝や枯葉などの異物が雨水枡１内のバスケット８により捕捉される。したがってバスケット８内には徐々に異物が溜まってくる。
【００２８】
バスケット８内に異物がある程度溜まったときにはそれを廃棄する必要があるが、その廃棄にあたっては、まず、蓋装置３の蓋体２３を受枠１８内から抜き取って外し、受枠１８の開口部１９を開く。そしてこの開口部１９を通してガイド管１１内に手を差し込み、あるいは所定の工具を差込んでバスケット８の取っ手９を掴み、雨水枡１内のバスケット８を上方に引き上げ、受枠１８の開口部１９を通して地上に取り出し、このバスケット８内の異物を廃棄する。また、前記開口部１９を通して雨水枡１内に手や清掃具を差込んその雨水枡１内を清掃する。
【００２９】
バスケット８内の異物を廃棄や雨水枡１内の清掃が終了したのちには、開口部１９を通してバスケット８を再び雨水枡１内に収納する。そして受枠１８の内側に蓋体２３を装着する。
【００３０】
このように、雨水枡１の上方部には蓋装置３が配置され、排水トラフ２はその雨水枡１の上方部の脇の位置に敷設されており、このため排水トラフ２の敷設に関わりなく蓋装置３を開閉して雨水枡１内のバスケット８を脱着したり雨水枡１内を清掃したりする保守管理作業を容易に能率よく行なうことができる。そして、雨水枡１に対するバスケット８の脱着の作業に排水トラフ２が何ら関わることがないから、排水トラフ２の幅を雨水枡１の大きさに関係なく狭い幅寸法に設定して景観を向上させることができる。
【００３１】
例えば、図６（Ａ），（Ｂ）に示すように、排水トラフ２の側板３１の間隔がごく狭く、地表に露出する側板３１間の隙間がスリット状をなすような排水トラフ２を採用してより景観を高めることも可能である。
【００３２】
前記蓋装置３における受枠１８と蓋体２３との間には僅かな隙間が確保されており、このため地表に降った雨水の一部は、前記隙間を通して受け台１３内に流れ込み、この受け台１３から雨水枡１内に達する。このためより排水能力を高めることができる。
【００３３】
なお、前記実施形態では、受け台１３の一端部に、排水トラフ２と同じ平面形状の雨水導入部２８を設け、この雨水導入部２８の両端部に排水トラフ２を接続して受け台１３内に連通させるようにしたが、受け台１３の一端部の上に排水トラフ２を直接組み付け、その排水トラフ２の底面に開口を形成し、その開口を介して排水トラフ２内を受け台１３内に連通させて雨水を導くような構成とする場合であってもよい。
【図面の簡単な説明】
【００３４】
【図１】この発明の一実施形態に係る雨水排水装置の全体の構成を示す平面図。
【図２】その雨水排水装置の一部を拡大して示す平面図。
【図３】その雨水排水装置の雨水枡部分の一方向から見た断面図。
【図４】その雨水排水装置の雨水枡部分の他方向から見た断面図。
【図５】その雨水排水装置の排水トラフ接続部分の分解状態の斜視図。
【図６】排水トラフの構造例を示す断面図。
【符号の説明】
【００３５】
１…雨水枡
２…排水トラフ
３…蓋装置
５…開口
７…排水管
８…バスケット
９…取っ手
１０…雨水導入体
１３…受け台
１８…受枠
１９…開口部
２３…蓋体
２８…雨水導入部
３０…トラフ本体
３１…側板
３５…切欠部
４２…蓋体
【図１】
2009019431.tif 000003
【図２】
2009019431.tif 000004
【図３】
2009019431.tif 000005
【図４】
2009019431.tif 000006
【図５】
2009019431.tif 000007
【図６】
2009019431.tif 000008